(57)【要約】      （修正有）【課題】植物組織培養の保管、運送、及び、展示に利便な展示セットを提供する。【解決手段】展示セットには、展示棚１００本体、及び、少なくとも一個の植物組織培養管を含み、展示棚本体の下方に凹孔、或いは、空孔の設計を有することで、培養管１３０を固定でき、また培養管内の植物が光源を吸収するため、各段展示台の下縁には光を照射できる十分な空間を具備し、その他、保管及び運送過程における包装態様の展示棚は、簡単に開いて折り畳むことを通じて、展示棚の階段状構造を呈することができ、一種の植物生長過程を展示する方法を提供し、楽しみながらも勉強になる効果を具備する。【選択図】図１
0003139318.tif 000002
【実用新案登録請求の範囲】
【請求項１】
展示棚、及び、少なくとも１個の植物組織培養管を含み、展示棚は培養管内の植物を成長させるため、光を培養管に十分に照射する助けとなることを特徴とする、植物組織培養展示セット。
【請求項２】
請求項１記載の展示セットにおいて、培養管は透明な管体、及び、蓋で組成され、管内に培地と植物があることを特徴とする、展示セット。
【請求項３】
請求項１記載の展示セットにおいて、展示棚の底部に培養管を固定できる凹溝を具備、或いは、空孔を具備する段で培養管を展示台上に固定することを特徴とする、展示セット。
【請求項４】
請求項１記載の展示セットにおいて、展示棚の材質は紙素材、或いは、プラスチック材質であることを特徴とする、展示セット。
【請求項５】
請求項１記載の展示セットにおいて、展示棚は階段状展示台の構造であることを特徴とする、展示セット。
【請求項６】
請求項５記載の展示セットにおいて、展示棚の階段状展示台構造の設計は、後ろにある展示台を1段上げて前段の組織培養管より高くすることを特徴とする、展示セット。
【請求項７】
請求項１記載の展示セットにおいて、植物は培養管内において生長に適する任意の植物であることを特徴とする、展示セット。
【請求項８】
請求項７記載の展示セットにおいて、植物は食虫植物、水生植物、蘭、或いは、バラであることを特徴とする、展示セット。
【請求項９】
請求項１記載の展示セットにおいて、培養管に植物名、或いは、写真を表示することを特徴とする、展示セット。
【請求項１０】
請求項１記載の展示セットにおいて、前記培養管は任意のスタイルで呈現することを特徴とする、展示セット。
【請求項１１】
請求項１０記載の展示セットにおいて、前記培養管は玩具スタイル、試験管スタイル、或いは、瓶スタイルで呈現することができることを特徴とする、展示セット。
【請求項１２】
請求項１記載の展示セットにおいて、前記培養管にチェーンを付けることで、掛け飾りとすることができることを特徴とする、展示セット。
【請求項１３】
請求項１記載の展示セットにおいて、前記展示セットを包装箱内に直接に包装し、且つ前記包装箱は開けてから折り畳みを通じて展示棚の背板と側板となることができることを特徴とする、展示セット。
【請求項１４】
請求項１３記載の展示セットにおいて、前記包装箱の材質は紙素材或いはプラスチック材質とすることを特徴とする、展示セット。
【請求項１５】
請求項１３記載の展示セットにおいて、前記展示棚の背板と側板は各種スタイルを有し、その上に各種イラストを描くことを特徴とする、展示セット。
【考案の詳細な説明】
【技術分野】
【０００１】
本考案は、植物組織培養管専用の展示棚に関り、特に、本考案の緻密な設計は、培養管の展示、運送及び保管を更に有利になることにある。
【背景技術】
【０００２】
植物組織培養の技術は２０世紀初頭から始まり、現在まで約１００年の歴史を有しているため、該技術の発展はほぼ成熟し、一般的な植物組織培養は植物の一部、更に単一細胞を採取して、窒素及びその他植物の成長に必要な養分などが入った培地に置いて培養し、異なる部位組織の分化能力に差異があり、且つある植物は特定組織或いは器官を採取することでスムーズに培養でき、細菌或いは真菌の感染を避けるため、植物組織培養は無菌の環境で行なっていた。
【０００３】
テクノロジーの進化により、現在では植物組織培養が実験室内でのみとは限らなくなり、一般の人々でも包装された植物組織培養管を購入して家で培養できるようになった。しかしながら、市販されているものはやはり植物組織培養管の運送、保管する容器に欠乏するため、運送過程において、培養管は常に真っ暗な包装箱内に保管され、店主が培養管を展示している時も、培養管を一つの箱内だけに集中して置かれているため、購買者が選択して購買する際、直接管内の苗木が見えないため一つずつ培養管を引き出して見るしか手が無く、これにより、培養管内の植物は往々にして日照不足により生長不良となり、更には枯死に至ってしまう。
【考案の開示】
【考案が解決しようとする課題】
【０００４】
これに鑑み、考案者は植物組織培養を更に普及させ、従来管内植物が光源不足により容易に枯死するという欠点を改善するため、同時に多数株の植物を展示できる以外に、更に培養管内の植物に十分な光源を提供できる展示棚を設計するに到った。その他にも、本考案は一体化の設計とすることで、培養管を目的地まで運送した際に、包装外箱を開けて簡単に折り畳んでいくだけで、展示棚となり箱内の植物組織培養管を展示できるので、非常に便利である。
【課題を解決するための手段】
【０００５】
本考案は、植物組織培養の展示セットを提供し、これには展示棚本体及び少なくとも１個の植物組織培養管を含み、展示棚は階段状の展示台構造として設計され、後ろにある展示台を1段上げることで前段の組織培養管の高度より高くなり、同時に多数株の植物を置くことができ、且つ各段展示台の下縁も光から照射できるような十分な空間を具備することで各培養管内の植物に光源を吸収させることができる。その他、展示棚の台に培養管を固定するための凹孔或いは空孔の設計ができる。
【０００６】
本考案の展示セットは、運送と保管に利便性を与えるため四方形の包装を使用しているが、このような外形に限定されること無く、その材質を紙素材或いはプラスチックとすることができる。展示棚をまず包装箱内に置き、包装箱を開いた後簡単に開けて折り畳むことで展示棚の背板と側板にすることができる。その他、植物組織培養管を事前に展示棚上に置き、これにより包装箱を開けた後で、一つずつ培養管をその上に差し込む必要がない。展示棚上方の背板に各種培養管内の植物写真及び可愛いイラストを展示することで、使用者の購買意欲を引くことができる。
【０００７】
本考案の展示棚及びその外包装は、任意の容易に折り畳むことができる材質からなる。好しくは、該材質が紙素材或いはプラスチックとする。
【０００８】
本考案の培養管上には蓋を有し、管内で培養する植物に無菌環境を創り出すことができる。植物の養分源として提供するため、培養管下方に培地を充填している。管内の植物は培養管内の生長に適する任意の植物とし、好しくは、該植物は食虫植物、水生植物、蘭或いはバラとする。その他、本考案内で用いる組織培養管も更に一歩進んで購買者の購買欲を高めるため、様々な玩具スタイルで実現できる。また培養管と蓋に各々植物名或いは写真を表示でき、また培養管にチェーンを設計することで、掛け飾りとして使用できる。
【０００９】
本考案は、空間を飾ることで緑溢れる雰囲気を醸し出すことができ、観賞と楽しみながらも勉強になる働きを兼ね備えるだけでなく、また運送及び植物の生存にも有利となる。
【００１０】
以下の実施例に基づいて更に一歩進んで本考案を説明する。これらは本考案を説明すると共に本考案の特定実施例の各種長所を解明するためにだけ用いるものとし、本考案がこのような方法のみを呈することとして限定するものではない。
【００１１】
図１は、本考案の構造図で、主体は展示棚及び培養管で構成されている。展示棚に設計された凹孔或いは空孔は、培養管を置くことができ、また展示段に段差があるため、同時に多数の培養管を置くことができ、且つ本考案の特殊な設計により、後ろにある展示台を1段上げて前段の組織培養管より高くすることで、光を各培養管の底部まで十分に照射させることができるため、管内の植物が光線不足によって枯れることを避けることができる。
【００１２】
図２は、植物組織培養管の実体図で、管内が無菌環境で、下方の培地に植物の十分な養分源を提供し、且つ蓋を開けて水を添加する必要がない。管内で培養する植物は管内での生長に適する植物とし、例えば食虫植物、水生植物、蘭或いはバラでもよいが、前記の数種類の植物に限定されることはない。その他、該培養管は例えば玩具スタイル、試験管スタイル或いは瓶スタイルといった任意のスタイルでデザインすることができ、また培養管上の蓋にもチェーンを別途付属することで、掛け飾りとして使用することができる。
【００１３】
図３に示すように、本考案は包装運送過程において、立体箱の方式(図３A)を呈し、内部に事前に植物組織培養管を置き、包装箱を開けた際、外部の紙板を折り畳むだけで、図３Bに示すような展示セットが現れるため、過度なカット或いは接着接合を必要とせず、また一つずつ培養管を展示棚上に置く必要がなく、このように、本植物組織培養展示セットは、保管、運送、展示に十分な利便性を与える創作である。
【００１４】
その他、本考案の展示棚背板と側板は、外包装を簡単に折り畳むことからなる。その上各種のイラストを描くことができる、或いは植物名及び写真を表示でき、また培養管及びその上方の蓋にもイラスト或いはラベルを貼付することで、本考案は更に美しく上品なものとなり、購買者の購買意欲を向上させることができる。
【図面の簡単な説明】
【００１５】
【図１】本考案の植物組織培養展示箱の構造図である。
【図２】本考案の植物組織培養管の実体図である。
【図３】本考案の植物組織培養展示セットの包装を開ける前、開けた後の見取図である。      (A)は開ける前の包装箱で、立体構造を呈し、内部に植物組織培養管を有する。      (B)は開けた後の展示セットで、A図から直接折り畳むことからなる。
【符号の説明】
【００１６】
１００    展示棚
１１０    展示棚の側板
１２０    培養管の蓋
１３０    培養管
１４０    展示棚の背板
１５０    階段状展示台
【図１】
0003139318.tif 000003
【図２】
0003139318.tif 000004
【図３】
0003139318.tif 000005
【手続補正書】
【提出日】平成19年11月28日(2007.11.28)
【手続補正１】
【補正対象書類名】図面
【補正対象項目名】図３
【補正方法】変更
【補正の内容】
【図３】
0003139318.tif 000006